(57)【要約】【課題】  コネクタ本体の端子収容室内の所定位置に正確に端子を収容することが可能で、防水コネクタの性能及び信頼性を向上させることができる防水コネクタを提供する。【解決手段】  電線１１、１２が接続される端子１３と、電線１１、１２を挿通させる電線挿通穴１７、１８を有するグロメット１５と、前記端子１３を収容する端子収容室２１及びこの入口側に連設されて前記グロメット１５を嵌着させる凹陥部２３を有するコネクタ本体１９とを備え、コネクタ本体１９の端子収容室２１内に端子１３が収容され、凹陥部２３内にグロメット１５が嵌着され、端子収容室２１内を水密に密封する防水コネクタにおいて、前記凹陥部２３内におけるグロメット１５の奥側位置に端子１３を保持する端子ホルダ３５が配設される。【選択図】        図１
2005228575.tif 000002
【特許請求の範囲】
【請求項１】
電線が接続される端子と、電線を挿通させる電線挿通穴を有するグロメットと、前記端子を収容する端子収容室及びこの入口側に連設されて前記グロメットを嵌着させる凹陥部を有するコネクタ本体とを備え、コネクタ本体の端子収容室内に端子が収容され、凹陥部内にグロメットが嵌着され、端子収容室内を水密に密封する防水コネクタにおいて、前記凹陥部内におけるグロメットの奥側位置に端子を保持する端子ホルダが配設されることを特徴とする防水コネクタ。
【請求項２】
前記端子ホルダが二つ割りされた一対のホルダ分割体を凹部とこれに係合する凸部からなる凹凸係合部で合体して構成され、各ホルダ分割体の相対する内側面に、端子の後部を保持する凹溝がそれぞれ設けられていることを特徴とする請求項１記載の防水コネクタ。
【請求項３】
少なくとも１個の前記凹凸係合部の凹部が断面Ｔ字状に形成され、凸部が断面Ｔ字状に形成され、凹部が一方のホルダ分割体の内側面に端子の軸線方向に沿って設けられ、凸部が他方のホルダ分割体の内側面における前記凹部と対向する部位に端子の軸線方向に沿って設けられ、一方のホルダ分割体を他方のホルダ分割体に対して端子の軸線方向に相対的にスライド移動させることにより、前記凹凸係合部の凹部に凸部を係合させてホルダ分割体同士を合体することを特徴とする請求項２記載の防水コネクタ。
【請求項４】
前記端子ホルダの後部がグロメットの前部に嵌着されることを特徴とする請求項１、２又は３記載の防水コネクタ。
【発明の詳細な説明】
【技術分野】
【０００１】
本発明は自動車内の各種電装部品間の接続等に使用されるワイヤーハーネスの防水コネクタに関するものである。
【背景技術】
【０００２】
従来、この種の防水コネクタとして、図１０に示すような複数本（図示例は５本）の電線１が接続される複数個の端子（図示省略）と、電線１を挿通させる電線挿通穴３を有するゴム製のグロメット２と、前記端子を収容する複数個の端子収容室（図示省略）及びこの入口側に連設されて前記グロメット２を嵌着させる凹陥部（キャビティ）５を有する合成樹脂製のコネクタ本体４とを備えたものがある。
【０００３】
更に詳細に説明すると、前記グロメット２は二つ割り状に形成された一対の割り型体６、７で構成され、割り型体６、７の相対する内面には、それぞれ電線１の半周部が嵌入される複数個の電線嵌入溝６Ａ、７Ａが幅方向に所定間隔をおいて並列して設けられて、割り型体６、７同士を合体したとき、電線嵌入溝６Ａ、７Ａにより円形状の電線挿通穴３が形成され、割り型体６、７の外面には、それぞれグロメット押圧用溝６Ｂ、７Ｂが幅方向に所定間隔をおいて並列して設けられ、更に、割り型体６、７の相対する一方の内面には、電線１と直交する方向に突起８が設けられている。また、コネクタ本体４の凹陥部５の内面には、割り型体６、７に設けられたグロメット押圧用溝６Ｂ、７Ｂと係合する押圧用リブ９が設けられている。そして、コネクタ本体４の端子収容室内に端子が収容され、凹陥部５内にグロメット２が嵌着され、端子収容室内を水密に密封するようになっている（特許文献１参照）。
【０００４】
【特許文献１】特開平１０−２８４１６８号公報（発明の詳細な説明の項の段落０００８乃至段落０００９、図１）
【発明の開示】
【発明が解決しようとする課題】
【０００５】
しかしながら、このような構成の防水コネクタでは、一般に電線１の所定位置にグロメット２を把持することが難しいため、端子とグロメット２の距離が設計された所定距離にならない場合が多い。このため、グロメット２をコネクタ本体４の凹陥部５の所定位置に正確に嵌着しても端子をコネクタ本体４の端子収容室内の所定位置に正確に挿入して収容することができず、防水コネクタの電気的接続不良を起こす恐れがあり、コネクタの性能及び信頼性が低下する問題がある。
【０００６】
本発明は上記の課題を解決し、コネクタ本体の端子収容室内の所定位置に正確に端子を収容することが可能で、防水コネクタの性能及び信頼性を向上させることができる防水コネクタを提供することを目的とするものである。
【課題を解決するための手段】
【０００７】
上記目的を達成するために、本発明の請求項１に記載された防水コネクタは、電線が接続される端子と、電線を挿通させる電線挿通穴を有するグロメットと、前記端子を収容する端子収容室及びこの入口側に連設されて前記グロメットを嵌着させる凹陥部を有するコネクタ本体とを備え、コネクタ本体の端子収容室内に端子が収容され、凹陥部内にグロメットが嵌着され、端子収容室内を水密に密封する防水コネクタにおいて、前記凹陥部内におけるグロメットの奥側位置に端子を保持する端子ホルダが配設されることを特徴とするものである。
【０００８】
本発明の請求項２に記載された防水コネクタは、請求項１記載の防水コネクタにおいて、前記端子ホルダが二つ割りされた一対のホルダ分割体を凹部とこれに係合する凸部からなる凹凸係合部で合体して構成され、各ホルダ分割体の相対する内側面に、端子の後部を保持する凹溝がそれぞれ設けられていることを特徴とするものである。
【０００９】
本発明の請求項３に記載された防水コネクタは、請求項２記載の防水コネクタにおいて、少なくとも１個の前記凹凸係合部の凹部が断面Ｔ字状に形成され、凸部が断面Ｔ字状に形成され、凹部が一方のホルダ分割体の内側面に端子の軸線方向に沿って設けられ、凸部が他方のホルダ分割体の内側面における前記凹部と対向する部位に端子の軸線方向に沿って設けられ、一方のホルダ分割体を他方のホルダ分割体に対して端子の軸線方向に相対的にスライド移動させることにより、前記凹凸係合部の凹部に凸部を係合させてホルダ分割体同士を合体することを特徴とするものである。
【００１０】
本発明の請求項４に記載された防水コネクタは、請求項１、２又は３記載の防水コネクタにおいて、前記端子ホルダの後部がグロメットの前部に嵌着される構成になっていることを特徴とするものである。
【発明の効果】
【００１１】
本発明の請求項１に記載された防水コネクタによると、端子がコネクタ本体の凹陥部内の所定位置に正確に配設可能な端子ホルダに保持されるので、端子をコネクタ本体の端子収容室内の所定位置に正確に挿入して収容することができ、防水コネクタの電気的接続不良がなくなって、コネクタの性能及び信頼性を向上させることができる。
【００１２】
本発明の請求項２に記載された防水コネクタによると、端子ホルダが二つ割りされた一対のホルダ分割体で構成され、内部に端子を保持する凹溝が設けられているので、端子を端子ホルダに容易に、且つ、位置ずれを起こすことなく保持することが可能になり、防水コネクタの組立作業性を向上させることができる。
【００１３】
本発明の請求項３に記載された防水コネクタによると、内部に端子の後部を保持するように一対のホルダ分割体を合体した後、ねじその他の固定部材で締め付けなくてもホルダ分割体の合体状態を維持することが可能になるので、防水コネクタの組立作業性を更に向上させることができるほか、端子ホルダの構造が簡単で部品数も減少し、防水コネクタのコストを低減させることができる。
【００１４】
本発明の請求項４に記載された防水コネクタによると、端子ホルダの後部がグロメットの前部に嵌着されてグロメットと端子ホルダが連結されるので、端子ホルダを凹陥部内の奥側位置に円滑に挿入して配設することができる。また、端子ホルダがグロメットをコネクタ本体の凹陥部内に挿入する際、ガイド部材の役目をするので、グロメットを凹陥部内に円滑に挿入して嵌着することができる。従って、防水コネクタの組立がより容易になり、防水コネクタを能率よく製造することができる。
【発明を実施するための最良の形態】
【００１５】
次に、本発明の実施形態を図面により詳細に説明する。図１は本発明の防水コネクタの一実施形態を示す縦断面図、図２は図１に示す防水コネクタの分解斜視図である。
【００１６】
本実施形態の防水コネクタは、図１、２に示すように、ワイヤーハーネスを構成する例えば３本の太径の電線１１及び６本の細径の電線１２が圧着等により接続される端子１３（６本の細径の電線１２が接続される端子１３は図示省略）と、電線１１、１２を挿通させる電線挿通穴１７、１８を有するゴム製のグロメット１５と、前記端子１３を収容する３個の端子収容室２１（電線１２側の端子収容室は図示省略）及びこれに連設されて前記グロメット１５を嵌着させる縦長の長円形状の凹陥部（キャビティ）２３を有する合成樹脂製の矩形ブロック状のコネクタ本体１９と、コネクタ本体１９の凹陥部２３内に嵌着されたグロメット１５が凹陥部２３から抜け出るのを押える電線１１及び後記するスカート部３１を挿通させる円形状の挿通穴２５Ａと電線１２を挿通させる矩形状の挿通穴２５Ｂを有する押えプレート２５とを備える。押えプレート２５は２個の固定ねじ２７でコネクタ本体１９に取り付けられる。なお、本実施形態では電線１１、１２の本数は合計９本であるが、本数は防水コネクタの使用目的、形態等によって増加又は減少する。本発明は１本の電線を接続する防水コネクタにも適用可能である。
【００１７】
グロメット１５は、縦長の長円形状の断面を有するストレート形状のブロック体からなるグロメット本体２９に、３本の太径の電線１１を挿通させる３個の太径のストレート形状の電線挿通穴１７が図１、２で上下方向に所定間隔をおいて並列して設けられ、その下方に６本の細径の電線１２を挿通させる６個の細径のストレート形状の電線挿通穴１８が上下３段、左右２列に並列して設けられている。また、グロメット本体２９の前部には、後記端子ホルダ３５の後部が嵌着される縦長の長円形状の嵌合溝３０（図１参照）が設けられ、後部には、電線挿通穴１７と同軸状に３個の截頭円錐筒状のスカート部３１が突設されている。更に、グロメット本体２９の外面と３個のスカート部３１の内面には端子１３の軸線方向（図２の左右方向）に所定間隔をおいて複数の凸条３３が形成されている。このように凸条３３が形成されていると、グロメット本体２９の外面とコネクタ本体１９における凹陥部２３の内面及びスカート部の内面と電線１１の外面との接触面圧が大きくなりシール（密封）性が向上するので好ましい。なお、図示省略するが、電線挿通穴１８の内面にも凸条３３が形成されている。グロメット１５は図示例では一体物で構成したが、従来技術に記載したように二つ割り状に形成された一対の割り型体を合体して構成してもよい。
【００１８】
本発明は上記構成の防水コネクタにおいて、図１に示すように、コネクタ本体１９の凹陥部２３内に嵌着されるグロメット１５の奥側位置に凹陥部２３の底壁（奥壁）２３Ａに当接するようにして端子１３を保持する合成樹脂製の端子ホルダ３５が配設される。端子ホルダ３５は、図２に示すように、二つ割りされたホルダ分割体３７、３９を凹凸係合部４１で合体して構成される。
【００１９】
一方のホルダ分割体３７は、図３（ａ）乃至（ｇ）に示すように、縦長の矩形板の上下端部を少し内側にわん曲させた形成された後部の内殻体３７Ａと前部の外殻体３７Ｂを連結して構成され、合成樹脂材を成形加工して形成される。内殻体３７Ａの内側面、即ち、後記ホルダ分割体３９における内殻体３９Ａの内側面に相対（対向）する内側面には、図３（ａ）（ｂ）等で上下方向に所定間隔をおいて端子の後部を保持する４個の凹溝４７が並列して端子１３の軸線方向（図３（ａ）（ｇ）の左右方向）に沿って設けられる。また、内殻体３７Ａの最下段と２段目の凹溝４７間及び下から４段目（最上段）の凹溝４７の上方部には凹凸係合部４１の断面Ｉ状に形成された凸条からなる凸部４５が、また、下から２段目と３段目の凹溝４７間及び下から３段目と４段目（最上段）の凹溝４７間には、後記凹部４４の入口側よりも幅を広くして断面Ｔ字状に形成された凸条からなる凸部４６が、後記他方のホルダ分割体３９の内側面における凹部４３、４４と対向する部位で、内方に向けて突出するようにして端子１３の軸線方向（図３（ａ）（ｇ）の左右方向）に沿って設けられる。なお、４９は外殻体３７Ｂの前面に設けられた突縁部で端子ホルダ３７をコネクタ本体１９の凹陥部２３内に挿入し易くするためのガイドの役目をする。
【００２０】
他方のホルダ分割体３９は、図４（ａ）乃至（ｇ）に示すように、縦長の矩形板の上下端部を少し内側にわん曲させた形成された後部の内殻体３９Ａと前部の外殻体３９Ｂを連結して構成され、合成樹脂材を成形加工して形成される。内殻体３９Ａの内側面、即ち、前記ホルダ分割体３７における内殻体３７Ａの内側面に相対（対向）する内側面には、図４（ａ）（ｂ）等で上下方向に所定間隔をおいて端子の後部を保持する４個の凹溝４７が並列して端子１３の軸線方向（図４（ａ）（ｇ）の左右方向）に沿って設けられる。また、内殻体３９Ａの最下段と２段目の凹溝４７間及び下から４段目（最上段）の凹溝４７の上方部には凹凸係合部４１の断面Ｉ状に形成された凹条からなる凹部４３が、また、下から２段目と３段目の凹溝４７間及び下から３段目と４段目（最上段）の凹溝４７間には、奥側よりも入口側を狭くして断面Ｔ字状に形成された凹条からなる凹部４４が、前記一方のホルダ分割体３７の内側面における凸部４５、４６と対向する部位で端子１３の軸線方向（図４（ａ）（ｇ）の左右方向）に沿って設けられる。なお、外殻体３９Ｂの前面にも突縁部４９が設けられている。
【００２１】
端子ホルダ３５は、一方のホルダ分割体３７の凹溝４７の端子１３の後部を保持した後、他方のホルダ分割体３９の内側面を一方のホルダ分割体３７側に向き合わせて、後記するように、そのホルダ分割体３７に対して端子１３の軸線方向の前方（図６の矢印方向）に位置させ、ホルダ分割体３９をホルダ分割体３７に向けて後方（図６の矢印方向と反対方向）にスライド移動させることにより、前記凹凸係合部４１の凹部４３、４４に凸部４５、４６を係合させてホルダ分割体３７、３９同士を合体することにより組み立てられる。このようにして組み立てられた端子ホルダ３５は、ホルダ分割体３７、３９の後部の内殻体３７Ａ、３９Ａが前記グロメット１５の嵌合溝３０に嵌着される。
【００２２】
なお、本実施形態では、４個の凹凸係合部４１のうち、２個の凹凸係合部４１が凹部４４とこれに係合する凸部４６からなり、他の２個の凹凸係合部４１が凹部４３とこれに係合する凸部４５からなるものであるが、１個若しくは３個凹凸係合部４１が凹部４４とこれに係合する凸部４６からなり、残りの凹凸係合部４１が凹部４３とこれに係合する凸部４５からなるものでもよい。又は、全部の凹凸係合部４１が凹部４４とこれに係合する凸部４６からなっていたり、凹部４３とこれに係合する凸部４５からなっていたりしてもよい。全部の凹凸係合部４１が凹部４３とこれに係合する凸部４５からなる場合には、両ホルダ分割体３７、３９同士をねじ等で固定しておくことが好ましい。また、本実施形態では、ホルダ分割体３７側に凹凸係合部４１の凸部４５、４６が設けられ、ホルダ分割体３９側に凹凸係合部４１の凹部４３、４４が設けられているが、反対にホルダ分割体３７側に凹凸係合部４１の凹部４３、４４が設けられ、ホルダ分割体３９側に凹凸係合部４１の凸部４５、４６が設けられるものでもよい。更に、端子ホルダ３５は分割型ではなく一体構造のものとしてもよい。
【００２３】
本実施形態の防水コネクタを組み立てる場合には、図５に示すように、先ず電線１１、１２を押えプレート２５の挿通穴２５Ａ、２５Ｂ、グロメット１５の電線挿通穴１７、１８に順次挿通する。そして、端子１３にグロメット１５より突出させた電線１１の先端を圧着して接続する。なお、図示省略するが、電線１２も端子１３に同様に接続する。
【００２４】
次に、図６に示すように、前記端子１３を端子ホルダ３５の一方のホルダ分割体３７における各凹溝４７に保持した後、他方のホルダ分割体３９の内側面をホルダ分割体３７側に向き合わせる。
【００２５】
次に、他方のホルダ分割体３９を一方のホルダ分割体３７に対して端子１３の軸線方向の前方（図６の矢印方向）に位置させ、他方のホルダ分割体３９を一方のホルダ分割体３７に向けて後方（図６の矢印方向と反対方向）にスライド移動させることにより、前記凹凸係合部４１の凹部４３、４４に凸部４５、４６を係合させて、図７に示すように、ホルダ分割体３７、３９同士を合体する。
【００２６】
次に、図７においてホルダ分割体３７、３９を合体して得られた端子ホルダ１５の後部に位置する内殻体３７Ａ、３９Ａを、図８に示すように、グロメット１５の嵌合溝３０に挿入して嵌着し、グロメット１５と端子ホルダ３５を連結する。
【００２７】
次に、コネクタ本体１９の凹陥部２３の入口に、端子ホルダ３５の突縁部４９を押し当てて端子ホルダを挿入する位置を決めた後、端子ホルダ３５でガイドしながら、その凹陥部２３内にグロメット１５を端子ホルダ３５と共に挿入して嵌着し、その後、押えプレート２５を固定ねじ２７でコネクタ本体１９に取り付けて、グロメット１５が凹陥部２３から抜け出ないように押え、図１に示すような防水コネクタを組み立てる。なお、図示省略するが、必要によりグロメット１５の各スカート部３１の先端近傍の外周面に電線１１、１２に跨るようにして防水テープを巻き付けて防水層を形成し、スカート部３１の入口部分をシールするようにしてもよい。また、防水テープは、図８に示すように、グロメット１５と端子ホルダ３５を嵌着して連結した後、押えプレート２５をグロメット１５側に寄せてから、スカート部３１の先端近傍の外周面に上記のようにして巻き付けて防水層を形成するようにしてもよい。このようにすると、防水層がストッパの役目をして、押えプレート２５がグロメット１５から外れにくくなり、押えプレート２５の取り付けが容易になる。また、押えプレート２５を利用してグロメット１５を均等な押付力で凹陥部２３内に円滑に挿入することができる。
【００２８】
本発明の防水コネクタによると、コネクタ本体１９の凹陥部２３内におけるグロメット１５の奥側位置に端子１３を保持する端子ホルダ３５が配設されので、端子１３が凹陥部２３内の所定位置に正確に配設可能な端子ホルダ３５に保持されることになる。従って、端子１３をコネクタ本体１９の端子収容室２１内の所定位置に正確に挿入して収容することができ、防水コネクタの電気的接続不良がなくなり、コネクタの性能及び信頼性を向上させることができる。
【００２９】
また、本実施形態のように、端子ホルダ３５が二つ割りされた一対のホルダ分割体３７、３９を凹部４３、４４とこれに係合する凸部４５、４６からなる凹凸係合部４１で合体して構成され、各ホルダ分割体３７、３９の相対する内側面に、端子１３の後部を保持する凹溝４７がそれぞれ設けられていることにより、端子１３を端子ホルダ３５に容易に、且つ、位置ずれを起こすことなく保持することが可能になり、防水コネクタの組立作業性を向上させることができる。
【００３０】
また、本実施形態のように、少なくとも１個の前記凹凸係合部４１の凹部４４が断面Ｔ字状に形成され、凸部４６が断面Ｔ字状に形成され、凹部４４が一方のホルダ分割体３７の内側面に端子１３の軸線方向に沿って設けられ、凸部４６が他方のホルダ分割体３９の内側面における前記凹部４４と対向する部位に端子１３の軸線方向に沿って設けられ、一方のホルダ分割体３７を他方のホルダ分割体３９に対して端子１３の軸線方向に相対的にスライド移動させることにより、前記凹凸係合部４１の凹部４４に凸部４６を係合させてホルダ分割体３７、３９同士を合体するように構成されていることにより、内部に端子１３の後部を保持するように一対のホルダ分割体３７、３９を合体した後、ねじその他の固定部材で締め付けなくてもホルダ分割体３７、３９の合体状態を維持することが可能になる。従って、防水コネクタの組立作業性を更に向上させることができるほか、端子ホルダの構造が簡単で部品数も減少し、防水コネクタのコストを低減させることができる。
【００３１】
更に、本実施形態のように、端子ホルダ３５の後部がグロメット１５の前部に嵌着されて、グロメット１５と端子ホルダ３５が連結されることにより、端子ホルダ３５をコネクタ本体１９の凹陥部２３内の奥側位置に円滑に挿入して配設することができる。また、端子ホルダ３５がグロメット１５を凹陥部２３内に挿入する際、ガイド部材の役目をするので、グロメット１５を凹陥部２３内に円滑に挿入して嵌着することができる。従って、防水コネクタの組立がより容易になり、防水コネクタを能率よく製造することができる。
【００３２】
上記実施形態では、縦長の長円形状の断面を有するストレート形状のブロック体からなるグロメット本体２９に、３本の電線１１を挿通させる３個の太径のストレート形状の電線挿通穴１７が上下方向に所定間隔をおいて並列して設けられ、その下方に６本の電線１２を挿通させる６個の細径のストレート形状の電線挿通穴１８が上下３段、左右２列に並列して設けられる構成のグロメット１５を使用したが、例えば、図９に示すような構成のグロメット５１を使用することができる。即ち、このグロメット５１は、縦長の長円形状の断面を有するストレート形状のブロック体の後段部が前段部よりも小形状で略９０度に屈曲した略Ｌ形状に形成されているグロメット本体５３に、３本の太径の電線１１（図示せず）を挿通させる後部が略９０度に屈曲した略Ｌ形状の３個の電線挿通穴５５が図９で上下方向に所定間隔をおいて並列して設けられる。また、最下段には、電線挿通穴５５と同径で該挿通穴５５と同一間隔をおいて並列して、６本の細径の電線１２（図示せず）を挿通させる後部が略９０度に屈曲した略Ｌ形状の１個の電線挿通穴５６が設けられる。更に、グロメット本体５３の後部には、電線挿通穴５５、５６と同軸状に４個の同一形状を有する截頭円錐筒状のスカート部３１が突設されている。その他の構成はグロメット１５の構成と実質上同じである。次に、グロメット５１がコネクタ本体１９の凹陥部２３から抜け出るのを押える押えプレート５７は、グロメット５１の前段部よりも小形状の後段部を挿通させる縦長の長円形状の挿通穴（図示せず）が設けられている。その他の構成は上記押えプレート２５と同じである。上記構成のグロメット５１を備えた防水コネクタもグロメット１５を備えた前記防水コネクタと同様な効果を得ることができる。
【図面の簡単な説明】
【００３３】
【図１】本発明に係る防水コネクタの一実施形態を示す縦断面図である。
【図２】図１に示す防水コネクタの分解斜視図である。
【図３】図１、２における端子ホルダの一方のホルダ分割体を示す図で、（ａ）は正面図、（ｂ）は右側面図、（ｃ）は左側面図、（ｄ）は背面図、（ｅ）は平面図、（ｆ）は下面図、（ｇ）は斜視図である。
【図４】図１、２における端子ホルダの他方のホルダ分割体を示す図で、（ａ）は正面図、（ｂ）は左側面図、（ｃ）は右側面図、（ｄ）は背面図、（ｅ）は平面図、（ｆ）は下面図、（ｇ）は斜視図である。
【図５】図１の実施形態の防水コネクタを組み立てる方法を示すもので、電線を押えプレートの挿通穴及びグロメットの電線挿通穴に挿通して、端子に電線を接続した状態を示す斜視図である。
【図６】電線が接続された端子を端子ホルダ一方のホルダ分割体における凹溝に保持し、他方のホルダ分割体を一方のホルダ分割体に向き合わせた状態を示す斜視図である。
【図７】端子が保持された一方のホルダ分割体と他方のホルダ分割体同士を凹凸係合部により合体した状態を示す斜視図である。
【図８】端子ホルダをグロメットに嵌着した状態を示す斜視図である。
【図９】端子ホルダを他の構成のグロメットに嵌着した状態を示す斜視図である。
【図１０】従来の防水コネクタを示す分解斜視図である。
【符号の説明】
【００３４】
１１    電線
１２    電線
１３    端子
１５    グロメット
１７    電線挿通穴
１８    電線挿通穴
１９    コネクタ本体
２１    端子収容室
２３    凹陥部
２３Ａ  底壁
２５    押えプレート
２５Ａ  挿通穴
２５Ｂ  挿通穴
２７    固定ねじ
２９    グロメット本体
３０    嵌合溝
３１    スカート部
３３    凸条
３５    端子ホルダ
３７    ホルダ分割体
３７Ａ  内殻体
３７Ｂ  外殻体
３９    ホルダ分割体
３９Ａ  内殻体
３９Ｂ  外殻体
４１    凹凸係合部
４３    凹部
４４    凹部
４５    凸部
４６    凸部
４７    凹溝
４９    突縁部
５１    グロメット
５３    グロメット本体
５５    電線挿通穴
５６    電線挿通穴
５７    押えプレート
【図１】
2005228575.tif 000003
【図２】
2005228575.tif 000004
【図３】
2005228575.tif 000005
【図４】
2005228575.tif 000006
【図５】
2005228575.tif 000007
【図６】
2005228575.tif 000008
【図７】
2005228575.tif 000009
【図８】
2005228575.tif 000010
【図９】
2005228575.tif 000011
【図１０】
2005228575.tif 000012